(57)【特許請求の範囲】
【請求項１】
左右方向へ長く設けた第１頂板21の前縁から第１側板22を垂下する第１挾持板部材23と、
左右方向へ長く設けた第２頂板24の後縁から第２側板25を垂下する第２挾持板部材26とを、第１、第２頂板21、24を左右にずらせて重ね合わせると共に、
両挾持板部材が有する第１、第２側板上部の各前部と後部とに横長透孔27、27を設けておき、
又頂線42両端から垂下線43、43を垂下し、該垂下線下部を屈折当線44とした一対の鋼線部材41、41を設けて、
頂線42両端を上記両挾持部材の両前方横長透孔27、27および両後方横長透孔27、27に通し、垂下線43、43は第１、第２側板22、25の外面に沿って垂下させ、屈折当線44、44のうち、前方側屈折当線は後方へ、後方側屈折当線は前方へ、それぞれ屈曲させて固定させ、又上記垂下線43、43の上部は横長透孔27近辺外面に付設した軸受け28に挿通させた
ことを特徴とするクリップ。
【発明の詳細な説明】
【０００１】
【発明の属する技術分野】
本発明は、ポスター等を掲示板等に挾着させる際に使用すると便利なクリップに関する。
【０００２】
【従来の技術】
従来クリップとしては種々多数のものが知られており、掲示板等へのポスター等貼付けは鋲等で行われていた。
【０００３】
【発明が解決しようとする課題】
例えばボーリング場のレーン後方のピン配設部分上方には、マスキング板と称する、絵又は写真等を表示した、縦巾約１メートル、横巾約２メートルの装飾板が後方空間の目隠しを兼ねて連続させて配設されている。
【０００４】
従来そのマスキング板は、複数用意してあり、季節等に応じ変更することで遊戯者の気分を一新することが出来るよう設けたものであるが、ボード表面へ直接絵等を描出することから高価であった。
【０００５】
しかし、そのマスキング板をボード表面へ直接絵等を描くことに代えて、ポスター状の印刷紙をボード表面に挾着させることで形成できれば、極めて安価とすることが出来る。
【０００６】
本発明のクリップはそのような用途に使用できるよう設けたもので、ポスター状紙を安全かつ確実にボード表面へ挾着させることが出来、しかもそのポスター状紙交換のためのクリップの着脱操作も極めて安易に行えるよう設けたものである。
【０００７】
【課題を解決するための手段】
左右方向へ長く設けた第１頂板21の前縁から第１側板22を垂下する第１挾持板部材23と、
左右方向へ長く設けた第２頂板24の後縁から第２側板25を垂下する第２挾持板部材26とを、第１、第２頂板21、24を左右にずらせて重ね合わせると共に、
両挾持板部材が有する第１、第２側板上部の各前部と後部とに横長透孔27、27を設けておき、
又頂線42両端から垂下線43、43を垂下し、該垂下線下部を屈折当線44とした一対の鋼線部材41、41を設けて、
頂線42両端を上記両挾持部材の両前方横長透孔27、27および両後方横長透孔27、27に通し、垂下線43、43は第１、第２側板22、25の外面に沿って垂下させ、屈折当線44、44のうち、前方側屈折当線は後方へ、後方側屈折当線は前方へ、それぞれ屈曲させて固定させ、又上記垂下線43、43の上部は横長透孔27近辺外面に付設した軸受け28に挿通させた。
【０００８】
【発明の実施の形態】
本発明クリップは、左右方向へ長く設けた第１頂板21の前縁から第１側板22を垂下する第１挾持板部材23と、左右方向へ長く設けた第２頂板24後縁から第２側板25を垂下する第２挾持板部材26とを有する。それ等両部材は同一大きさ、同一形状に形成することができるが、後述のように両頂板重合せ時、下方に位置する頂板を有する挾持板部材の側板下端は、頂板の厚み分だけ短かく形成するとよく、このようにすることで、クリップ形成時両側板下面を同一水平面上に位置させることが出来る。
【０００９】
第１挾持板部材23について説明すると、第１側板22上部の前後両部には横長透孔27、27を穿設し、又その横長透孔のすぐ下方には軸受け28、28を縦設している。又その軸受け下方の第１側板22部分からは、該側板部分を右外方へ切起して外方突出板29、29を設け、該外方突出板下部に２個の鋼線挿通孔30、30を穿設している。尚上記軸受け28、28も、側板部分を右外方へ切起して該切起し板を上方からみて時計方向へ管状に丸く弯曲させることで形成している。
【００１０】
第１頂板21の左端と第２頂板24の右端とからは指掛け板31、31を起立させる。
【００１１】
上記第１、第２挾持板部材23、26は一対の鋼線部材41によって他方に対し揺動可能に連結させる。
【００１２】
鋼線部材41は、左右方向へ設けた頂線42両端から垂下線43、43を垂下し、その下端から屈折当線44、44を、左方垂下線下端からは、右方へ、又右方垂下線下端からは左方へ、それぞれ突出させて形成する。
【００１３】
該鋼線部材41、41による第１、第２挾持板部材23、26の連結は次のように行うことが出来る。
【００１４】
予め左右鋼線部材41の左方垂下線43および屈折当線44を図５が示すように第１挾持部材43左右の横長透孔27に通し、又各右方垂下線および屈折当線を第２挾持部材の左右の横長透孔27に通し、各垂下線を第１側板22および第２側板の各外面に沿い垂下させ、第１、第２頂板21、24を左右にずらせ、かつ重合わせる。尚このとき各軸受け28は図示のように半管状板28a としておく。該状態から図６が示すように各垂下線上部を上記半管状板28a 内へ入れ、かつ図８が示すように屈折当板44を鋼線挿通孔30内へ挿入させる。次いで上記軸受け形成用半管状板28a を管状に閉じ、垂下線上部を挿通させた軸受け28に形成する。
【００１５】
上記のようにすることで、図１と図２とが示すクリップを形成できる。該クリップの使用は図２が示す状態から、第１挾持板部材23左端と第２挾持板部材26右端とからそれぞれ起立する指掛け板31、31を、互いの方向へ押圧する。すると図２が示すように第１挾持部材23に対して右方にずれていた第２挾持部材26は、図２の状態では傾斜状態にあった各頂線42、42が図３が示すようにその傾斜角を大きくすることで左後方へ移動し、よって第１側板22と第２側板25との間隙は広がることとなる。尚このとき各垂下線43には弾性に抗して捩れを生ずることとなるから、上記指掛け板31、31の押圧を緩めることでその捩れは垂下線の弾性復帰により解消し、その弾性捩れの解消により、クリップ１は図２の元形に復帰する。従って上記のように第１、第２側板22、25間の間隔を拡げ、又狭めることでボード12上部へクリップ１を着脱してポスター状紙11をボードに取付け、又取外して交換することが出来る。
【００１６】
【発明の効果】
本発明は既述構成とするものであり、ボードに対するポスター状紙の取付け、取外しを極めて容易に行うことが出来る。又鋼線部材41の頂線42の長さを長くすることで、第１側板22に対して第２側板25が近づいたり、遠ざかったりする移動距離を大きくすることが出来る。
【図面の簡単な説明】
【図１】本発明クリップの正面図である。
【図２】図１クリップの平面図である。
【図３】図１クリップを開いた状態で示す平面図である。
【図４】図１クリップに使用している鋼線部材の側面図である。
【図５】図１クリップの挾持部材に対する鋼線部材取付けの第１段階を示す略解図である。
【図６】挾持部材に対する鋼線部材取付けの第２段階を示す略解図である。
【図７】挾持部材に対する鋼線部材取付けの第３段階を示す略解図である。
【図８】挾持部材に対する鋼線部材取付けの第４段階を示す略解図である。
【符号の説明】
23  …第１挾持板部材          26…第２挾持板部材
28…軸受け                    41…鋼線部材
【図１】
0003571006.tif 000002
【図２】
0003571006.tif 000003
【図３】
0003571006.tif 000004
【図４】
0003571006.tif 000005
【図５】
0003571006.tif 000006
【図６】
0003571006.tif 000007
【図７】
0003571006.tif 000008
【図８】
0003571006.tif 000009